(57)【要約】【課題】  薄くて軽量でありかつ省電力であるシート状の電子ペーパーに取扱説明を表示する。【解決手段】  この電子音楽装置に関連する機器又はソフトウェアの取扱説明である電子マニュアルデータを取得し、該電子マニュアルデータに基づき取扱説明の所望の部分を電子ペーパーに表示させる。操作子の操作に応じて対応情報を参照し、該操作された操作子又は機能に関連した部分の取扱説明を電子ペーパーに表示させる。このように、この電子音楽装置に関連する機器又はソフトウェアの取扱説明を電子ペーパーに表示すると、消費電力を小さくすることができるとともに、目にやさしく見やすい表示を提供できる。さらに、操作子の操作に応じて、関連した部分の取扱説明を電子ペーパーに表示させることから、取扱説明を見たい操作子を操作しながら関連する説明が記載された部分を簡単に参照できるようになる。【選択図】        図５Ｂ
2006126240.tif 000002
【特許請求の範囲】
【請求項１】
電子ペーパーと、
この電子音楽装置に関連する機器又はソフトウェアの取扱説明である電子マニュアルデータを取得する取得手段と、
前記取得した電子マニュアルデータに基づき、前記取扱説明の所望の部分を前記電子ペーパーに表示させる制御手段と
を具えた電子音楽装置。
【請求項２】
電子音楽装置の各種操作を行うための操作子と、前記操作子又は前記操作子の操作に応じて動作される機能と前記取扱説明上の前記操作子又は前記機能に関連した部分とを対応させた対応情報を記憶する記憶手段とを具えてなり、
前記制御手段は、前記操作子の操作に応じて前記対応情報を参照し、該操作された操作子又は前記機能に関連した部分の取扱説明を前記電子ペーパーに表示させることを特徴とする請求項１に記載の電子音楽装置。
【請求項３】
前記制御手段は、同一操作子の連続操作に応じて、前記対応情報に基づき該操作子又は該操作に応じて動作される機能に関連した部分の取扱説明を順次に切り替えながら前記電子ペーパーに表示させることを特徴とする請求項２に記載の電子音楽装置。
【請求項４】
コンピュータに、
この電子音楽装置に関連する機器又はソフトウェアの取扱説明である電子マニュアルデータを取得する手順と、
前記取得した電子マニュアルデータに基づき、前記取扱説明の所望の部分を電子ペーパーに表示させる手順と
を実行させるためのプログラム。
【発明の詳細な説明】
【技術分野】
【０００１】
この発明は、薄くて軽量でありかつ省電力であるシート状の電子ペーパーに、各種情報を表示可能な電子音楽装置及びプログラムに関する。特に、操作子の操作に応じて、関連する記載がなされている該当箇所の取扱説明（マニュアル）を簡単に表示させることのできるようにした電子音楽装置及びプログラムに関する。
【背景技術】
【０００２】
従来から、電子楽器等の電子音楽装置においては、該装置に設けられている各操作子の使い方や設定内容等に関する説明、あるいは所定の操作子の操作に伴い動作される該装置が有する機能（ソフトウェアを含む）の説明などを記載した取扱説明書（所謂マニュアル）として、紙などに印刷されたマニュアル（これを紙マニュアルと呼ぶ）が別に添付されているのが一般的であり、ユーザは該紙マニュアルを必要に応じて適宜に持ち出して参照することができる。また、最近ではパーソナルコンピュータの普及に伴い、例えばＰＤＦ形式などの電子マニュアルデータが電子音楽装置に添付されており、ユーザは該電子マニュアルデータに基づき電子化されたマニュアル（これを電子マニュアルと呼ぶ）をパーソナルコンピュータに表示させて参照することができるようになっている。さらには、下記に示す特許文献１に記載の電子楽器のように、操作子の操作に関連した説明が記載されているマニュアルのページ番号を表示することによって、紙マニュアルあるいは電子マニュアルの該当ページをユーザが素早く参照することのできるようにしたものが、本出願人により提案されている。
【特許文献１】特開平05-281961号公報
【０００３】
ところで、従来から一般的に用いられている紙マニュアルは紙への印刷物という特性により見やすく取扱易い反面、必要に応じてその都度目的とするページを探すのが大変である、という不都合がある。一方、パーソナルコンピュータ上に表示される電子マニュアルにおいては、該マニュアルを表示するために用いられる液晶表示器やＣＲＴディスプレイなどの表示器が自ら発光して表示するものであることから、表示に係る消費電力が大きく、また紙マニュアルに比べて目が疲れやすい、という不都合がある。さらに、上記特許文献１に記載の装置によれば、操作子の操作に関連した説明が記載されているマニュアルのページ番号を表示することから便利ではあるが、実際に該当ページを参照するにはユーザが紙マニュアルのページを手でめくって探さなければならない、あるいはパーソナルコンピュータを操作して電子マニュアルのページめくり操作をしなければならないなど、やはり目的のページを探すのが大変であるだけでなく、当該電子音楽装置とは一旦離れてマニュアルを参照するための専用の作業（ページめくり）をわざわざ行わなければならなかったことから、取扱説明を見たい操作子の操作との対応が分かりづらくなる、という問題もあった。
【発明の開示】
【発明が解決しようとする課題】
【０００４】
本発明は上述の点に鑑みてなされたもので、マニュアルを表示するための表示器として電子ペーパーを用い、操作子の操作に応じて関連した記載のあるページを前記電子ペーパー上に表示することにより、消費電力を小さく抑えると共にユーザにとって目にやさしく見やすく、さらに取扱説明を見たい操作子を操作するだけでマニュアルの該当箇所を簡単に参照することのできるようにした電子音楽装置及びプログラムを提供することを目的とする。
【課題を解決するための手段】
【０００５】
本発明の請求項１に係る電子音楽装置は、電子ペーパーと、この電子音楽装置に関連する機器又はソフトウェアの取扱説明である電子マニュアルデータを取得する取得手段と、前記取得した電子マニュアルデータに基づき、前記取扱説明の所望の部分を前記電子ペーパーに表示させる制御手段とを具える。
また、本発明の好ましい実施例として、電子音楽装置の各種操作を行うための操作子と、前記操作子又は前記操作子の操作に応じて動作される機能と前記取扱説明上の前記操作子又は前記機能に関連した部分とを対応させた対応情報を記憶する記憶手段とを具えてなり、前記制御手段は、前記操作子の操作に応じて前記対応情報を参照し、該操作された操作子又は前記機能に関連した部分の取扱説明を前記電子ペーパーに表示させることを特徴とする。
【０００６】
この発明によると、この電子音楽装置に関連する機器又はソフトウェアの取扱説明である電子マニュアルデータを取得し、該取得した電子マニュアルデータに基づき、前記取扱説明の所望の部分を前記電子ペーパーに表示させる。また、電子音楽装置の各種操作を行うための操作子の操作に応じて対応情報を参照することで、該操作された操作子又は前記機能に関連した部分の取扱説明を前記電子ペーパーに表示させる。前記対応情報は、前記操作子又は前記操作子の操作に応じて動作される機能と前記取扱説明上の前記操作子又は前記機能に関連した記載のある部分とを対応させたものである。このように、この電子音楽装置に関連する機器又はソフトウェアの取扱説明を電子ペーパーに表示すると、消費電力を小さくすることができるとともに、目にやさしく見やすい表示を提供することができる。さらに、操作子の操作に応じて、関連した部分の取扱説明を前記電子ペーパーに表示させるようにしたことから、取扱説明を見たい操作子を操作しながら関連する説明が記載された部分を簡単に参照することができるようになる。
【０００７】
本発明は装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【０００８】
この発明によれば、取扱説明（マニュアル）を表示する表示器として電子ペーパーを用いるようにしたことから、消費電力を小さく抑えると共にユーザにとって目にやさしく見やすい表示でマニュアルを表示することができるようになる、という効果を奏する。また、電子音楽装置の操作子と取扱説明上の該操作子に関連した説明等が記載された関連箇所との対応情報を記憶し、操作子の操作に応じて関連した記載のあるページを表示するようにしたことから、取扱説明が見たい操作子を操作するだけで関連箇所の取扱説明を簡単に参照することができるようになる。
【発明を実施するための最良の形態】
【０００９】
以下、この発明の実施の形態を添付図面に従って詳細に説明する。
【００１０】
図１は、この発明に係る電子音楽装置の全体構成の一実施例を示したハード構成ブロック図である。本実施例に示す電子音楽装置（例えば電子楽器やパーソナルコンピュータ等）は、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この電子音楽装置全体の動作を制御するものである。このＣＰＵ１に対して、データ及びアドレスバス１Ｄを介してＲＯＭ２、ＲＡＭ３、検出回路４、駆動回路５、電子ペーパー駆動回路６、音源回路７、効果回路８、外部記憶装置１０、MIDIインタフェース（Ｉ／Ｆ）１１および通信インタフェース（Ｉ／Ｆ）１２がそれぞれ接続されている。更に、ＣＰＵ１には、タイマ割込み処理（インタラプト処理）における割込み時間や各種時間を計時するタイマ１Ａが接続されている。例えば、タイマ１Ａはクロックパルスを発生し、発生したクロックパルスをＣＰＵ１に対して処理タイミング命令として与えたり、あるいはＣＰＵ１に対してインタラプト命令として与える。ＣＰＵ１は、これらの命令に従って各種処理を実行する。
【００１１】
ＲＯＭ２は、ＣＰＵ１により実行される各種プログラムや各種データを格納するものである。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。この実施例では、例えばマニュアルスイッチ（MNL_SW）フラグ、マニュアルページ（MNL_PG）フラグ、マニュアル表示モード（MNL_MD）フラグなどがある（後述する）。演奏操作子／設定操作子４Ａは、例えば楽音の音高を選択するための複数の鍵を備えた例えば鍵盤等のようなユーザによる手弾き演奏のための演奏操作子、電子ペーパー６Ａに表示する各種情報を選択するあるいは楽曲再生の際に用いられる各種パラメータを設定するための設定操作子などである。例えば、電子ペーパー６Ａに各種情報として電子マニュアル（取扱説明）を表示するために該装置の機器設定を「マニュアル表示モード」にするマニュアルスイッチ、自動演奏の開始／停止を指示する自動演奏スイッチ、演奏時に用いる音色を指定する音色スイッチなどがある。検出回路４は演奏操作子の各鍵の押圧及び離鍵を検出して検出出力を生じたり、設定操作子の操作状態を検出して操作状態に応じたスイッチ情報をデータ及びアドレスバス１Ｄを介してＣＰＵ１に出力する。勿論、演奏操作子としては鍵盤楽器の形態に限らず、弦楽器や管楽器、あるいは打楽器等どのようなタイプの形態でもよい。
【００１２】
ＬＣＤ表示器５Ａは例えば液晶表示パネル等から構成されるディスプレイであって、駆動回路５による制御に従い楽曲の一覧や楽譜などを表示したり、上記設定操作子４Ａにより設定された情報を表示したり、あるいはＣＰＵ１の制御状態などを表示したりすることができる。前記ＬＣＤ表示器５Ａは従来知られた電子楽器等に広く用いられている表示器であるが、このＬＣＤ表示器５Ａは各種情報の表示切り替えやページ切り替えの際に係る応答速度が速い点においては電子ペーパー６Ａに比べて有利であることから、該ＬＣＤ表示器５Ａにマニュアルを表示することも考えられる。しかし、前記ＬＣＤ表示器５Ａ上にマニュアル等の各種情報を表示する際には、当該表示器自体を発光させなければならないこと、表示中の表示内容を保持しておくために常時電力を供給しておかなければならないこと、などから電子ペーパー６Ａに比べると消費電力が非常に大きい。また、ＬＣＤ表示器５Ａ自体が発光していることからユーザにとっては非常に目が疲れ易く、通常の紙などに印刷された紙マニュアルに比べて長い時間見つづけるには不向きである、さらには画面の大きなものはコストが高い、などの点で電子ペーパー６Ａに比べて不利である。そこで、この電子音楽装置ではＬＣＤ表示器５Ａとは別に、表示器として電子ペーパー６Ａ（フレキシブルなシート状のディスプレイ）を着脱可能に装着することができ、電子ペーパー駆動回路６の制御に従って該装着された電子ペーパー６Ａに対してマニュアル（電子マニュアルデータに基づく電子マニュアル）を表示することができるようにしている。
【００１３】
ここで、電子音楽装置に装着可能であって、電子マニュアルを表示するのに用いることが可能な電子ペーパー６Ａについて、図２を用いて説明する。電子ペーパー６Ａには種々の方式のものが公知であるが、ここでは一例としてマイクロカプセル型電気泳動方式の電子ペーパーを例にして説明する。図２は、マイクロカプセル型電気泳動方式の電子ペーパーの構造を示す概要図である。
【００１４】
図２に示すように、マイクロカプセル型電気泳動方式の電子ペーパー６Ａは、互いに重ね合わせたフィルム等からなる透明電極ＡとＴＦＴ基盤等からなる背面電極Ｂとの間に、所謂電子インクと呼ばれる透明なマイクロカプセルＣを多数配置したものである（ただし、ここでは図示の都合上、便宜的に２つのみ示している）。この透明なマイクロカプセルＣ内には黒色微粒子Ｄと白色微粒子Ｅとが封入されており、電圧（電荷）を印加することにより前記黒色微粒子Ｄと白色微粒子Ｅを電気泳動させて白黒をスイッチング表示することができ、これにより任意の画像を透明電極Ａ上に表示することができるようになっている。具体的には黒色微粒子Ｄとして負に帯電したカーボンブラック粒子を、白色微粒子Ｅとして正に帯電した酸化チタン粒子を封入したマイクロカプセルＣに対して、透明電極Ａ及び背面電極Ｂのそれぞれに表示したい画像に応じた正負の電荷を加えることによって、白色微粒子Ｅは負電荷側に、黒色微粒子Ｄは正電荷側に集められる。こうして、画面表面となる透明電極Ａ側に楽譜や歌詞、マニュアルなどを白及び黒を用いた画像として表示することができる。
【００１５】
このような構造をした電子ペーパー６Ａは、以下に示すような利点がある。コントラストが高く、画面全体を発光せずとも外部の光源から発せられた光により表示された画像を見る反射型であるために、目にやさしく見やすい。薄く軽量であり適宜に曲げることができることから、持ち運びしやすい。また、構造が簡単であることから、画面サイズを大きくするにも低コストで済む。さらには、外部から常時電力を与え続けなくても表示状態をそのまま保持することから、消費電力を抑え省電力である。ただし、このような利点をもつ電子ペーパー６Ａではあるが、新たな表示の駆動を開始してから当該表示を完了するまでに係る応答速度（応答時間）がＬＣＤ表示器５Ａなどと比べると非常に遅いことから、ページ切り替えなどで表示を切り替えるのにＬＣＤ表示器５Ａよりも時間がかかる（数十〜百数十ｍｓ（ミリ秒）程度）という欠点をあわせもつ。しかし、マニュアルについては頻繁にページを切り替えて表示させることが極めて稀であり少ないことから、上記欠点がそれほど問題にはならない。また、電子ペーパー６Ａにマニュアルを表示するようにすると、上記したような利点の他にも、紙に印刷された紙マニュアルなどと一見すると似ていることから、紙の代わりとしてユーザに何らの違和感もいだかせることなく使用させることができる、という利点もある。そこで、図１に示す電子音楽装置においては、ＬＣＤ表示器５Ａとは別の表示器として電子ペーパー６Ａを具備しておき、ＬＣＤ表示器５Ａに対しては設定情報などを表示させ、電子ペーパー６Ａに対してはマニュアルを表示させるように、表示する内容によって前記２つの表示器をそれぞれ使い分けて表示させるようにしている。勿論、電子ペーパー６Ａに表示させる内容としてはマニュアルのみに限らない。
【００１６】
なお、上記実施例では電子ペーパー６Ａとしてマイクロカプセル型電気泳動方式のものを例に示したがこれに限らず、公知である他の方式による電子ペーパー６Ａであってもよい。例えば、ツイスティングボール方式、水平移動型電気泳動方式、電解析出・溶解式など、種々のどのような方式の電子ペーパー６Ａを採用してもよい。ただし、そうした場合には、各方式に応じて電子ペーパー６Ａの駆動方法は異なることから、採用した各方式に応じた駆動方法で電子ペーパー６Ａを駆動するようにすればよい。
【００１７】
図１の説明に戻って、音源回路７は複数のチャンネルで楽音信号の同時発生が可能であり、データ及びアドレスバス１Ｄを経由して与えられる、ユーザによる演奏操作子４Ａの操作に応じて発生された、あるいは予め記憶している又は外部から取得した各種演奏情報（自動演奏データ等）を入力し、これらの演奏情報に基づいて楽音信号を発生する。また、音源回路７では発生させる楽音信号を各種パラメータに基づいて制御し、該発生させた楽音信号を効果回路８を介してアンプやスピーカなどを含むサウンドシステム９から発音する。効果回路８は、音源回路７からの楽音信号に効果を付与する。こうした音源回路７、効果回路８、サウンドシステム９の構成には、従来のいかなる構成を用いてもよい。例えば、音源回路７はＦＭ、ＰＣＭ、物理モデル、フォルマント合成等の各種楽音合成方式のいずれを採用してもよく、また専用のハードウェアで構成してもよいし、ＣＰＵ１やＤＳＰ（図示せず）等によるソフトウェア処理で構成してもよい。
【００１８】
外部記憶装置１０は、電子ペーパー６Ａ上に表示する電子マニュアルや同梱されている紙マニュアルの元である電子マニュアルデータ（後述する図３参照）、各操作子毎又は所定の操作子の操作に応じて動作される機能（ソフトウェアで動作する機能を含む）毎に、表示すべき対象とするマニュアルの該当ページを関連付けた対応情報であるマニュアルページテーブル（後述する図４参照）、自動演奏用の演奏情報などの各種データ、あるいはＣＰＵ１が実行する各種制御プログラム（例えば、後述する「マニュアル表示処理」など）や制御に関するデータなどを記憶するものである。なお、上述したＲＯＭ２に制御プログラムが記憶されていない場合、この外部記憶装置１０（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、外部記憶装置１０はハードディスク（HD）に限られず、フレキシブルディスク（FD）、コンパクトディスク（CD‐ROM・CD‐RAM）、光磁気ディスク（MO）、あるいはDVD（Digital Versatile Disk）等の着脱自在な様々な形態の外部記憶媒体を利用する記憶装置であればどのようなものであってもよい。あるいは、フラッシュメモリなどの半導体メモリであってもよい。
【００１９】
MIDIインタフェース（Ｉ／Ｆ）１１は、外部接続された他のMIDI機器１１Ａ等からMIDI形式の演奏情報（MIDIデータ）を当該電子音楽装置へ入力したり、あるいは当該電子音楽装置からMIDI形式の演奏情報（MIDIデータ）を他のMIDI機器１１Ａ等へ出力するためのインタフェースである。通信インタフェース（Ｉ／Ｆ）１２は例えばLAN等の有線あるいは無線の通信ネットワークＸに接続されており、該通信ネットワークＸを介して外部のサーバーコンピュータ１２Ａと接続されることによって、該サーバ１２Ａから電子マニュアルデータなどの各種データを受信することができる。こうした通信インタフェース１２は、有線あるいは無線のものいずれかでなく双方を具えていてよい。
【００２０】
なお、電子音楽装置は、演奏操作子／設定操作子４Ａ、ＬＣＤ表示器５Ａ、電子ペーパー６Ａ、音源回路７などを１つの装置本体に内蔵したものに限らず、それぞれが別々に構成され、MIDIインタフェースや各種ネットワーク等の通信手段を用いて各装置を接続するように構成されたものであってもよい。また、本発明に係る電子音楽装置としては電子楽器やパーソナルコンピュータ等の形態に限らず、携帯電話等の携帯型通信端末、あるいはカラオケ装置やゲーム装置など、どのような形態の装置・機器に適用してもよい。携帯型通信端末に適用した場合、端末のみで所定の機能が完結している場合に限らず、機能の一部をサーバ側に持たせ、端末とサーバとからなるシステム全体として所定の機能を実現するようにしてもよい。
【００２１】
本発明に係る電子音楽装置においては、紙に印刷された紙マニュアルが同梱されているだけでなく電子マニュアルデータも添付されており、ユーザは該電子マニュアルデータに基づき電子マニュアルを電子ペーパー６Ａに表示させることのできるようにしている。そこで、これらの電子マニュアルデータ、電子ペーパー６Ａに表示される電子マニュアル、当該装置に同梱されている紙マニュアルについて、図３を用いて簡単に説明する。図３は、電子マニュアルデータ、電子ペーパー、紙マニュアルの互いの関連を示す概念図である。この図３から理解できるように、紙マニュアルＰＭは電子マニュアルデータＭＤを印刷機ＰＲに送り、該印刷機ＰＲにより紙などにその有する内容が印刷されたものである。こうした紙マニュアルＰＭの印刷は電子音楽装置の製造元にて行われており、該印刷された紙マニュアルＰＭは電子音楽装置に同梱されて出荷されることで各ユーザの元に届くようにしている。また、製造元では前記紙マニュアルＰＭの元となった電子マニュアルデータＭＤを、電子音楽装置に内蔵して又は外部記憶媒体に記憶させておくなどして同梱することで、電子音楽装置の出荷にあわせて電子マニュアルデータＭＤを各ユーザの元に届けるようにもしている。ユーザは該電子マニュアルデータＭＤを利用して、同梱されている紙マニュアルＰＭと同様の内容からなる電子マニュアルを電子ペーパー６Ａに表示させることができる。
【００２２】
なお、電子ペーパー６Ａ上に表示する電子マニュアルの元となる電子マニュアルデータＭＤは、上記したように予め電子音楽装置の記憶装置(ＲＯＭや外部記憶媒体等)に記憶されていることに限らず、通信インタフェース１２を介して接続された外部のWebサイト等から適宜にダウンロードして外部記憶媒体等に保存したものであってもよい。あるいは、ダウンロードせずにマニュアル表示への切り替えやページ切り替えの都度、該当する電子マニュアルデータＭＤを受信して表示させるようにしてあってもよい。また、紙マニュアルＰＭの印刷に用いた電子マニュアルデータと、電子ペーパー６Ａに表示する際に用いる電子マニュアルデータとを異なるデータフォーマットとしてもよく、記述内容が共通であればどのようなフォーマットでもよい。
【００２３】
次に、マニュアルページテーブル（対応情報）のデータ構造について、図４を用いて説明する。図４は、マニュアルページテーブルのデータ構造を示す概念図である。マニュアルページテーブルは、マニュアルスイッチをオンした状態（マニュアル表示モード）で操作子が操作された場合に、該操作された操作子又は該操作された操作子により動作される機能に関連した記載などがなされている該当ページのマニュアルに素早く切り替えて表示させるために予め用意されているデータである（詳しくは後述する図５参照）。図４に示すように、マニュアルページテーブルは、音色スイッチや自動演奏スイッチなどの各スイッチ毎に、あるいは所定の操作子の操作に応じて動作される例えば音色エディット機能などの当該装置が有する機能毎に、該当する各スイッチの操作説明や機能の説明などの関連した記載がなされているマニュアルのページを記憶している。ここに示す実施例では、音色スイッチに関連した記載が10及び15ページに、自動演奏スイッチに関連した記載が52、58、80ページに、また音色エディット機能に関連した記載が22、40、105ページにそれぞれなされている場合を例に示した。なお、上記対応関係はページに限らず、行などを対応させてもよい。
【００２４】
次に、ユーザによるスイッチ操作に応じて該当ページのマニュアルを電子ペーパー６Ａに表示する「マニュアル表示処理」について、図５を用いて説明する。図５は、図１に示したＣＰＵ１において実行される一連の「マニュアル表示処理」の一実施例を示すフローチャートである。ただし、ここでは図示の都合上、１つの連続する処理である「マニュアル表示処理」を２つに分け、図５Ａに前半部分に該当する処理を、図５Ｂに図５Ａに示した前半処理に引き続き実行される後半部分に該当する処理をそれぞれ示した。
【００２５】
図５Ａに示すように、ステップＳ１では、マニュアルスイッチ（ＳＷ）のオンイベントがあったか否かを判定する。該マニュアルスイッチは、例えばユーザが押下しつづけている限りオン状態となり、ユーザが押下を止めるとオフ状態となるタイプのスイッチである。マニュアルスイッチがオン状態になった、つまりユーザによりマニュアルスイッチが押下されたと判定した場合には（ステップＳ１のＹＥＳ）、マニュアルスイッチ（MNL_SW）フラグを「１」にセットする（ステップＳ２）。また、マニュアルページ（MNL_PG）フラグを「０」にリセットする（ステップＳ３）。ステップＳ４では、マニュアルスイッチのオフイベントがあったか否かを判定する。マニュアルスイッチがオフ状態になった、つまりユーザによりマニュアルスイッチが離されたと判定した場合には（ステップＳ４のＹＥＳ）、マニュアルスイッチ（MNL_SW）フラグを「０」にリセットする（ステップＳ５）。ステップＳ６では、マニュアルページ（MNL_PG）フラグが「０」にセットされているか否かを判定する。マニュアルページ（MNL_PG）フラグが「０」にセットされている場合には（ステップＳ６のＹＥＳ）、さらにマニュアル表示モード（MNL_MD）フラグが「０」にセットされているか否かを判定する（ステップＳ７）。マニュアル表示モード（MNL_MD）フラグが「０」にセットされている場合には（ステップＳ７のＹＥＳ）、マニュアル表示モード（MNL_MD）フラグを「１」にセットすると共に、電子ペーパー６Ａにマニュアルのトップページ又は前回表示ページを表示する（ステップＳ８）。一方、マニュアル表示モード（MNL_MD）フラグが「０」にセットされていない場合には（ステップＳ７のＮＯ）、マニュアル表示モード（MNL_MD）フラグを「０」にセットすると共に、電子ペーパー６Ａのマニュアル表示を終了する（ステップＳ９）。このマニュアル表示の終了時には、電子ペーパー６Ａにその他情報を表示する。
【００２６】
上記した図５ＡのステップＳ８又はステップＳ９のいずれかの処理に引き続き、図５Ｂに示すステップＳ１０の処理が実行される。ステップＳ１０では、ユーザにより「＋（プラス）」スイッチ、「−（マイナス）」スイッチ、テンキーのいずれかのスイッチが操作されたか否かを判定する。上記「＋」スイッチ、「−」スイッチ、テンキーのいずれかのスイッチが操作されたと判定した場合には（ステップＳ１０のＹＥＳ）、マニュアルスイッチ（MNL_SW）フラグが「１」にセットされているか否かを判定する（ステップＳ１１）。マニュアルスイッチ（MNL_SW）フラグが「１」にセットされている場合には（ステップＳ１１のＹＥＳ）、マニュアルページ（MNL_PG）フラグとマニュアル表示モード（MNL_MD）フラグを共に「１」にセットする（ステップＳ１２）。さらに、ユーザによる「＋」スイッチ、「−」スイッチ、テンキーのいずれかの操作に応じて、マニュアルの表示ページを変更する（ステップＳ１３）。すなわち、マニュアルスイッチのオン状態で、例えば「＋」スイッチを１回操作したような場合には、「現在の表示ページ＋１」ページのマニュアルを表示するように変更することができる。また、マニュアルスイッチのオン状態で、「−」スイッチを３回操作したような場合には、「現在の表示ページ−３」ページのマニュアルを表示するように変更することができる。すなわち、「＋」又は「−」スイッチを操作した場合には、それぞれのスイッチの操作回数に応じただけのページを現在表示中であるページに加算又は減算するようにして、ページを切り替えてマニュアルを表示する。さらに、マニュアルスイッチのオン状態で、テンキーにより「168」を指定したような場合には、直接「168」ページにページを切り替えてマニュアルを表示する。
【００２７】
他方、上記ステップＳ１１において、マニュアルスイッチフラグ（MNL_SWフラグ）が「１」にセットされていない場合には（ステップＳ１１のＮＯ）、「＋」スイッチ、「−」スイッチ、テンキーの操作に応じた通常の機能を実行する（ステップＳ１４）。この場合には、上記したようなマニュアルの表示ページを変更することなく（ステップＳ１３参照）、電子ペーパー６Ａにマニュアルが表示されている／いないに関わらず、「＋」スイッチ、「−」スイッチの操作に応じて変更対象の設定値を「＋（プラス）」、「−（マイナス）」して再設定する、あるいはテンキーの操作に応じてダイレクトに変更対象の設定値を再設定するなど、通常の機能を実行する。
【００２８】
ステップＳ１５では、ユーザにより上記した操作子、つまり「＋」スイッチ、「−」スイッチ、テンキー以外のその他の操作子が操作されたか否かを判定する。「＋」スイッチ、「−」スイッチ、テンキー以外のその他の操作子が操作されたと判定した場合には（ステップＳ１５のＹＥＳ）、マニュアルスイッチフラグ（MNL_SWフラグ）が「１」にセットされているか否かを判定する（ステップＳ１６）。マニュアルスイッチフラグ（MNL_SWフラグ）が「１」にセットされている場合には（ステップＳ１６のＹＥＳ）、マニュアルページフラグ（MNL_PGフラグ）とマニュアル表示モードフラグ（MNL_MDフラグ）を共に「１」にセットする（ステップＳ１７）。そして、マニュアルスイッチフラグ（MNL_SWフラグ）が「１」にセットされている状態で、「＋」スイッチ、「−」スイッチ、テンキー以外の同一の操作子が連続操作されたか否かを判定する（ステップＳ１８）。前記同一の操作子が連続操作されたと判定した場合には（ステップＳ１８のＹＥＳ）、マニュアルページテーブル（図４参照）を参照し、該連続操作された同一の操作子に関連した次の記載ページを求め、該ページのマニュアルを電子ペーパー６Ａに表示する（ステップＳ１９）。例えば、マニュアルスイッチオン状態で自動演奏スイッチが連続して操作されたような場合には、マニュアルページテーブル（図４参照）に基づき、最初のページである「52」ページの表示から次のページである「58」ページに切り替えて、電子ペーパー６Ａにマニュアルを表示する。一方、前記同一の操作子が連続操作されていない、つまり「＋」スイッチ、「−」スイッチ、テンキー以外の別の操作子が操作されたと判定した場合には（ステップＳ１８のＮＯ）、マニュアルページテーブル（図４参照）を参照し、該操作された操作子に関連した最初の記載ページを求め、該ページのマニュアルを電子ペーパー６Ａに表示する（ステップＳ２０）。例えば、マニュアルスイッチオン状態で音色スイッチが新たに操作されたような場合には、マニュアルページテーブル（図４参照）に基づき、最初のページである「10」ページに切り替えて、電子ペーパー６Ａにマニュアルを表示する。
【００２９】
他方、上記ステップＳ１６において、マニュアルスイッチフラグ（MNL_SWフラグ）が「１」にセットされていないと判定した場合には（ステップＳ１６のＮＯ）、操作されたその他の操作子の通常の機能を実行する（ステップＳ２１）。この場合には、電子ペーパー６Ａにマニュアルが表示されている／いないに関わらず、例えば音色スイッチが操作された場合には音色設定を実行する、音色エディット機能が指示された場合には音色エディット画面をＬＣＤ表示器５Ａに表示する、自動演奏スイッチが操作された場合には自動演奏の開始／停止を実行するなど、操作されたその他の操作子に応じた通常の機能を実行する。上記ステップＳ１９、ステップＳ２０、ステップＳ２１のいずれかの処理が終了すると、図５Ａに示したステップＳ１の処理に戻って、上記ステップＳ１〜ステップＳ２１までの一連の処理を繰り返し実行する。
【００３０】
上記「マニュアル表示処理」に伴う具体的な動作について、簡単に場合を分けて説明する。まず、電子ペーパー６Ａ上にマニュアルが表示されていない状態（非マニュアル表示モード）で、マニュアルスイッチを単独でオン・オフ操作すると、非マニュアル表示モードからマニュアル表示モードへと機器設定され、電子ペーパー６Ａ上にマニュアルのトップページ又は前回の表示ページを表示する（ステップＳ８）。一方、電子ペーパー６Ａ上にマニュアルが表示されていない状態（非マニュアル表示モード）で、マニュアルスイッチをオン操作し、さらに「＋」、「−」、テンキーが操作されたような場合には、非マニュアル表示モードからマニュアル表示モードへと機器設定され、「＋」、「−」スイッチの操作ならば電子ペーパー６Ａ上にマニュアルのトップページを、テンキーの操作ならば該指示した数値に対応するマニュアルのページを表示する（ステップＳ１３）。勿論、電子ペーパー６Ａ上にマニュアルが表示されていない状態（非マニュアル表示モード）で、マニュアルスイッチが操作されることなく「＋」、「−」、テンキー、その他の操作子が単独で操作された場合には、各操作子の通常の機能を実行する（ステップＳ１４又はステップＳ２１）。
【００３１】
マニュアル表示中（マニュアル表示モード）に、マニュアルスイッチがオンされていない状態で、「＋」、「−」、テンキー、その他の操作子が単独で操作された場合には、各操作子の通常の機能を実行する（ステップＳ１４又はステップＳ２１）。マニュアル表示中（マニュアル表示モード）に、マニュアルスイッチをオンした状態で、「＋」、「−」、テンキーが操作された場合には、該操作された操作子に応じて表示中のマニュアルのページ切り替えが行われる（ステップＳ１３）。マニュアル表示中（マニュアル表示モード）に、マニュアルスイッチをオンした状態で、「＋」、「−」、テンキー以外のその他の操作子が操作された場合には、マニュアルページテーブルを参照して該操作された操作子に関連した記載がなされているマニュアルのページにジャンプするよう切り替えが行われる。ただし、この際に、同一操作子が連続して操作されているような場合には、該操作子に関連したページを順次に切り替えて表示する（ステップＳ１９又はステップＳ２０）。マニュアル表示中（マニュアル表示モード）に、マニュアルスイッチを単独でオン・オフ操作すると、マニュアル表示モードから非マニュアル表示モードへと機器設定され、電子ペーパー６Ａ上のマニュアル表示を終了し、その他の情報を表示する（ステップＳ９）。
【００３２】
以上のようにすると、電子ペーパー６Ａをマニュアル表示のための表示器として採用できることから、消費電力を小さくすることができるとともに、目に優しく見やすい表示器を提供することができる。すなわち、電子ペーパー６Ａは反射型の表示器であり且つ画面の大型化も低コストで簡単にできることから、ユーザに対して目にやさしく見やすい表示を容易に提供することができる。また、電子音楽装置の操作子とマニュアル上の該操作子に関連した記載がなされているページとの対応情報を記憶しておき、これに基づき操作子の操作に応じて関連した記載のあるページに切り替えるようにしたことから、マニュアルを見たい当該装置の操作子を操作するだけで関連ページを素早く簡単に参照することができるし、当該電子音楽装置とは一旦離れてマニュアルを参照するための専用の作業（操作）を新たに行う必要がないので、マニュアルを見たい対象の操作子との対応が分かりやすい。さらに、電子音楽装置に設けられている従来のＬＣＤ表示器５Ａとは別の電子ペーパーに６Ａマニュアルを表示するようにしたので、電子ペーパー６Ａに表示されたＬＣＤ表示器５Ａに表示される表示内容（マニュアル表示内容）と、実際にＬＣＤ表示器５Ａが表示している表示内容とを見比べながら、各操作子の使い方などをマスターすることができる。また、電子ペーパー６Ａは携帯性に優れ且つ省電力であることから、例えば電源を内蔵した持ち運び可能なモバイル型の電子音楽装置等に用いるのに最適である。
【００３３】
なお、電子ペーパー６Ａへの電力供給は、ページ切り替えのときのみとするのが消費電力をより小さくすることができ好ましい。
なお、マニュアルスイッチを押しながら各種操作子を操作したときに、該操作子の使い方や設定内容等に関する説明、あるいは所定の操作子の操作に伴い動作される該装置が有する機能の説明などに関連するマニュアルページを表示するようにしたが、操作形態はこれに限らない。例えばマニュアル表示中（マニュアル表示モード）は常に、操作された操作子/機能に関するマニュアルの該当ページを表示するようにしてもよいし、操作子を所定操作(例えばダブルクリック等)したときに関連するマニュアルのページを表示するようにしてもよい。
なお、ある操作子に所定機能が固定的に割り当てられていない場合(例えば、表示器＋その周囲の操作子である機能を設定したり、パラメータを編集したりする場合など)は、その操作子で現在設定/編集している機能に関連した(すなわち現在表示器に表示されている機能に関連した)マニュアルページを表示すればよい。
なお、電子ペーパー６Ａの表面にタッチセンサを設け、マニュアル上で所定操作子/機能に関して表示されている状態でその表示上をタッチすると、関連する操作子/機能がユーザに報知されるようにしてもよい。例えば、音色設定に関するマニュアルページ上でタッチするとＬＣＤ表示器５Ａの表示が音色設定画面に切り替わったり、自動演奏に関するマニュアルページ上でタッチをすると自動演奏に関連するスイッチ上(あるいはスイッチの近傍)に設けられたLEDなどが点灯(点滅)する等してもよい。
【００３４】
なお、電子ペーパー６Ａは専用或いはＵＳＢ等の汎用インターフェースを介して電子音楽装置本体に着脱可能に設置されることに限らず、電子音楽装置上に固定的に設置されていてもよい。あるいは電子音楽装置本体とは物理的に切り離されており、電子音楽装置側から無線によりページの切り替え指示を行うことができるようになっていてもよい。固定的に設置される場合は譜面立部などに電子ペーパー６Ａを設置するのが好ましく、着脱可能な場合は譜面立部に載置可能とするのが好ましい。こうした電子ペーパー６Ａの大きさ、形状は、紙マニュアルの大きさ、形状と同一あるいはそれに近いものが望ましい。また、着脱可能とした場合、電子ペーパー駆動回路６は電子音楽装置本体側に固定され、電子ペーパー６Ａのみを着脱可能としてもよいし、電子ペーパー駆動回路６ごと着脱可能としてもよい。さらに、着脱可能とした場合には、複数種類の方式の電子ペーパー６Ａを接続できるようにしてもよい。
なお、上述した実施例のように、電子ペーパー６Ａではない他の表示器（ＬＣＤ表示器５Ａ等）も同時に具備する場合、該表示器と電子ペーパー６Ａとで同じ種類の情報(マニュアル等)を表示してもよいし、異なる種類の情報を表示してもよい。同じ種類の情報を表示する場合には、例えば電子ペーパー６Ａには１ページ分の情報を表示し、他の表示器にはそのうちの一部のみを表示するなどしてよい。
【図面の簡単な説明】
【００３５】
【図１】この発明に係る電子音楽装置の全体構成の一実施例を示したハード構成ブロック図である。
【図２】マイクロカプセル型電気泳動方式の電子ペーパーの構造を示す概要図である。
【図３】電子マニュアルデータ、電子ペーパー、紙マニュアルの互いの関連を示す概念図である。
【図４】マニュアルページテーブルのデータ構造を示す概念図である。
【図５Ａ】マニュアル表示処理の前半処理の一実施例を示すフローチャートである。
【図５Ｂ】マニュアル表示処理の後半処理の一実施例を示すフローチャートである。
【符号の説明】
【００３６】
１…ＣＰＵ、２…ＲＯＭ、３…ＲＡＭ、４…検出回路、４Ａ…演奏操作子／設定操作子、５…駆動回路、５Ａ…ＬＣＤ表示器、６…電子ペーパー駆動回路、６Ａ…電子ペーパー、７…音源回路、８…効果回路、９…サウンドシステム、１０…外部記憶装置、１１…MIDIインタフェース、１１Ａ…MIDI機器、１２…通信インタフェース、１２Ａ…サーバコンピュータ、Ｘ…通信ネットワーク、１Ｄ…通信バス（データ及びアドレスバス）、Ａ…透明電極、Ｂ…背面電極、Ｃ…マイクロカプセル（電子インク）、Ｄ…黒色微粒子、Ｅ…白色微粒子、ＭＤ…電子マニュアルデータ、ＰＲ…印刷機、ＰＭ…紙マニュアル
【図１】
2006126240.tif 000003
【図２】
2006126240.tif 000004
【図３】
2006126240.tif 000005
【図４】
2006126240.tif 000006
【図５Ａ】
2006126240.tif 000007
【図５Ｂ】
2006126240.tif 000008